(57)【要約】      （修正有）【課題】不所望なショートメッセージデータの伝送を消去する。【解決手段】通知により、ショートメッセージの構造および/または内容に関する情報を含んだデータが加入者に伝送され、前記通知として、ショートメッセージの構造および/または内容に関する情報を伴うデータを含んでいる、ショートメッセージの第１のデータ領域が加入者に伝送され、さらに、ショートメッセージの構造および/または内容に関する情報が、加入者のもとで受信した通知から読出され、表示装置に表示されるようにする。【選択図】図４
2010044774.tif 000002
【特許請求の範囲】
【請求項１】
遠隔通信網（１０）、特に無線遠隔通信網におけるショートメッセージ（５）の伝送方法であって、この場合加入者（６０）あてに遠隔通信網に転送されるショートメッセージ（５）に依存して、１つの通知が遠隔通信網（１０）の加入者（６０）に送信される形式の方法において、
通知により、ショートメッセージ（５）の構造および/または内容に関する情報を含んだデータが加入者（６０）に伝送され、
前記通知として、ショートメッセージ（５）の構造および/または内容に関する情報を伴うデータを含んでいる、ショートメッセージ（５）の第１のデータ領域（１５）が加入者（６０）に伝送され、さらに、
ショートメッセージ（５）の構造および/または内容に関する情報が、加入者（６０）のもとで受信した通知から読出され、表示装置に表示されるようにしたことを特徴とする方法。
【請求項２】
前記通知の前に、遠隔通信網（１０）に転送されたショートメッセージ（５）の有無に関する情報を含んだメッセージが加入者（６０）に送信される、請求項１記載の方法。
【請求項３】
前記通知は、加入者（６０）から遠隔通信網（１０）にリクエスト信号が送出された後でのみ加入者（６０）に伝送される、請求項１または２記載の方法。
【請求項４】
前記ショートメッセージ（５）の第１のデータ領域（１５）は、テキストベースである、請求項１から３いずれか１項記載の方法。
【請求項５】
ショートメッセージ（５）の構造に関する情報と共に、ショートメッセージ（５）のデータ領域（１５，２０，２５，３０）の数に関する情報および/またはデータ領域（１５，２０，２５，３０）のデータフォーマットに関する情報および/またはデータ領域（１５，２０，２５，３０）のサイズに関する情報が、加入者（６０）に伝送される、請求項１から４いずれか１項記載の方法。
【請求項６】
ショートメッセージ（５）の内容に関する情報と共に、ショートメッセージ（５）における様々なデータタイプの有無に関する情報、特にショートメッセージ（５）の種々のデータ領域（１５，２０，２５，３０）における様々なデータタイプの有無に関する情報が加入者（６０）に伝送される、請求項１から５いずれか１項記載の方法。
【請求項７】
ショートメッセージ（５）の構造および/または内容に関する情報と共に、ショートメッセージ（５）内に記憶されているデータの送信者に関する情報が、加入者（６０）に伝送される、請求項１から６いずれか１項記載の方法。
【請求項８】
ショートメッセージ（５）の構造および/または内容に関する情報は、加入者（６０）のもとで受信した通知から読出され、表示装置に表示される、請求項１から７いずれか１項記載の方法。
【請求項９】
ショートメッセージ（５）の構造および/または内容に関する情報は、メニュー制御されて表示装置に表示され、その際に相応のメニュー構造が、加入者（６０）のもとでショートメッセージ（５）の構造および/または内容に関する読出された情報に依存して生成される、請求項８記載の方法。
【請求項１０】
ショートメッセージ（５）の構造および/または内容に関する情報は、リスト構造を用いて表示装置に表示され、その中からショートメッセージ（５）の少なくとも１つの部分が処理のために選択可能である、請求項８または９記載の方法。
【請求項１１】
ショートメッセージ（５）の構造および/または内容に関する情報は、加入者（６０）の加入者局において直接処理される、請求項１から１０いずれか１項記載の方法。
【請求項１２】
ショートメッセージ（５）の構造および/または内容に関する情報は、特にネットワークプロバイダまたはサービスプロバイダに関する処理のために、加入者（６０）の識別モジュールに伝送される、請求項１から１１いずれか１項記載の方法。
【請求項１３】
前記通知によって第１のヘッド情報と加入者（６０）に対するメッセージが伝送され、前記第１の情報はメッセージの内容に関する少なくとも１つの情報を含み、前記メッセージはショートメッセージ（５）の構造および/または内容に関する情報を含んでいる、請求項１から１２いずれか１項記載の方法。
【請求項１４】
メッセージによって第２のヘッド情報とデータが加入者（６０）に伝送され、第１のヘッド情報は第２のヘッド情報の有無に関する情報を含み、第２のヘッド情報は実行すべき通知の評価の形式に関する少なくとも１つの情報を含んでいる、請求横１３記載の方法。
【請求項１５】
前記ショートメッセージ（５）として電子郵便サービス、特にインターネットＥメールメッセージが遠隔通信網（１０）に転送される、請求項１から１４いずれか１項記載の方法。
【請求項１６】
前記通知は、ＧＳＭ（Global System for Mobile Communications規格によるＳＭＳ（Short Message Service）メッセージとして加入者（６０）に伝送される、請求項１から１５いずれか１項記載の方法。
【請求項１７】
送信側、特に移動送信局からのショートメッセージ（５）が、中央局、特にネットワークプロバイダ（７０）の中央局に対して、遠隔通信網（１０）に転送される、請求項１から１６いずれか１項記載の方法。
【請求項１８】
中央局からのショートメッセージ（５）が受信された場合に、送信側に対して肯定応答メッセージが遠隔通信網（１０）に転送される、請求項１７記載の方法。
【請求項１９】
肯定応答メッセージがショートメッセージ（５）の形態で送信側に対して遠隔通信網（１０）に転送され、この場合１つの通知が送信側に肯定応答メッセージに依存して送信され、通知と共に肯定応答メッセージの構造および/または内容に関する情報を含んだデータが送信側に伝送される、請求項１８記載の方法。
【請求項２０】
肯定応答メッセージをＧＳＭ規格によるＳＭＳメッセージとして、さらに通知を第１のヘッド情報および/または第２のヘッド情報として送信側に対し、遠隔通信網（１０）に転送する、請求項１８または１９記載の方法。
【請求項２１】
中央局、特にネットワークプロバイダ（７０）の中央局からのショートメッセージ（５）を、受信側、特に移動受信局に対して、遠隔通信網（１０）に転送する、請求項１から２０いずれか１項記載の方法。
【請求項２２】
加入者（６０）から、遠隔通信網（１０）に転送される命令メッセージを用いて、ショートメッセージ（５）の少なくとも１つのデータ領域（１５，２０，２５，３０）が、命令メッセージの内容に依存して処理される、請求項１から２１いずれか１項記載の方法。
【請求項２３】
命令メッセージが加入者（６０）のもとで入力ユニットにおける少なくとも１つのユーザー入力に依存して作成される、請求項２２記載の方法。
【請求項２４】
命令メッセージが、加入者（６０）のもとでショートメッセージ（５）の構造および/または内容に関する情報に依存して自動的に作成される、請求項２２または２３記載の方法。
【請求項２５】
命令メッセージが、加入者（６０）に割当てられた加入者局の電力規模に依存して、および/または加入者（６０）によってプリセッティングされた命令基準に依存して作成される、請求項２２から２４いずれか１項記載の方法。
【請求項２６】
加入者（６０）によって遠隔通信網（１０）に転送された選択メッセージとして構成された命令メッセージを用いて、遠隔通信網（１０）からのショートメッセージ（５）の少なくとも１つのデータ領域（１５，２０，２５，３０）が要求され、少なくとも１つの要求されたショートメッセージ（５）のデータ領域（１５，２０，２５，３０）が加入者（６０）に転送される、請求項２３から２５いずれか１項記載の方法。
【請求項２７】
加入者（６０）から選択メッセージによって要求されたショートメッセージ（５）の少なくとも２つのデータ領域（１５，２０，２５，３０）が一緒に加入者（６０）に対して伝送される、請求項２６記載の方法。
【請求項２８】
加入者（６０）から選択メッセージによって要求されたショートメッセージ（５）の少なくとも２つのデータ領域（１５，２０，２５，３０）が時間的に分離されて加入者（６０）に伝送される、請求項２７または２８記載の方法。
【請求項２９】
加入者（６０）から、消去メッセージとして構成された命令メッセージが通信ネットワーク（１０）に転送され、該消去メッセージに依存してショートメッセージ（５）の少なくとも１つのデータ領域（１５，２０，２５，３０）が消去される、請求項２２から２８いずれか１項記載の方法。
【請求項３０】
加入者（６０）から、転送メッセージとして構成された命令メッセージが遠隔通信網（１０）に転送され、該転送メッセージに依存してショートメッセージ（５）の少なくとも１つのデータ領域（１５，２０，２５，３０）がさらなる加入者、特に遠隔通信網（１０）のさらなる加入者に転送される、請求項２２から２９いずれか１項記載の方法。
【請求項３１】
命令メッセージがショートメッセージ（５）の形態で中央局、特にネットワークプロバイダ（７０）の中央局に対して遠隔通信網（１０）に転送され、該命令メッセージに依存して通知が中央局に送信され、さらに該通知と共に命令メッセージの構造および/または内容に関する情報を含んだデータが中央局に伝送される、請求項２２から３０いずれか１項記載の方法。
【請求項３２】
前記命令メッセージと通知は、加入者（６０）の加入者局において直接作成される、請求項３１記載の方法。
【請求項３３】
前記命令メッセージと通知は、加入者（６０）の特にネットワークプロバイダまたはサービスプロバイダに関する識別モジュールによって作成される、請求項３１または３２記載の方法。
【請求項３４】
前記命令メッセージはＧＳＭ規格のＳＭＳメッセージとして、及び前記通知は、第１のヘッド情報および/または第２のヘッド情報として、中央局に対し遠隔通信網（１０）に転送される、請求項３１から３３いずれか１項記載の方法。
【請求項３５】
ショートメッセージ（５）の構造および/または内容に関する情報が、ショートメッセージ（５）の少なくとも２つのデータ領域（１５，２０，２５，３０）の構造および/または内容に関する情報から生成され、この場合これらの情報は、当該データ領域（１５，２０，２５，３０）から得られる、請求項１から３４いずれか１項記載の方法。
【発明の詳細な説明】
【技術分野】
【０００１】
本発明は、請求項１の上位概念による、ショートメッセージの伝送のための方法に関している。
【背景技術】
【０００２】
事前に遠隔通信接続を加入者に対して構築する必要なく、遠隔通信網の加入者にショートメッセージを送信するのに用いられるショートメッセージサービスは既に公知である。これは、特に移動無線システムにおける需要が高い。というのもそこでは加入者が頻繁に不通になるからである。この場合は加入者に届けられるショートメッセージが遠隔通信網のネットワークプロバイダによって記憶され、後の時点でこの加入者に転送される。それに対して加入者は、自身で求めているショートメッセージの到着によって情報を受け取り、それに伴って加入者はこの情報をネットワークプロバイダからダウンロードできる。
【０００３】
ＧＳＭ（Global System for Mobile Communications）規格によるショートメッセージサービスとしては、ＳＭＳ（Short Message Service）が周知である。この場合ショートメッセージにおいては、１６０までの７ビットのアスキー（American Standard Code for Information）テキスト文字が伝送できる。より長いテキストの伝送は、ショートメッセージの連鎖化によって可能である。但しＧＳＭ規格によるテキスト伝送しか想定されていないので、例えばオーディオデータや画像データなどの二進データの伝送の場合には、これらをテキストフォーマットに変換しなければならない。さらにこれの受信後には再び二進フォーマットに変換しなおさなければならない。この場合ショートメッセージの全内容に対してのアクセスのみが可能である。そのため場合によってはアドレス指定された加入者によって不所望なショートメッセージデータも伝送され得る。加入者はそのショートメッセージの内容を、ネットワークプロバイダからのショートメッセージの完全なダウンロードの完了後でしか確かめることしかできない。
【発明の概要】
【発明が解決しようとする課題】
【０００４】
本発明の課題は前述した従来手法における欠点に鑑みこれを解決すべく完全を行うことである。
【課題を解決するための手段】
【０００５】
前記課題は本発明により、通知により、ショートメッセージの構造および/または内容に関する情報を含んだデータが加入者に伝送され、前記通知として、ショートメッセージの構造および/または内容に関する情報を伴うデータを含んでいる、ショートメッセージの第１のデータ領域が加入者に伝送され、さらに、ショートメッセージの構造および/または内容に関する情報が、加入者のもとで受信した通知から読出され、表示装置に表示されるようにして解決される。
【図面の簡単な説明】
【０００６】
【図１】遠隔通信網におけるショートメッセージの伝送に対する第１のブロック回路図
【図２】伝送フレームの一般的な構造を示した図
【図３】伝送フレームの１つの構造に対する具体的な例
【図４】遠隔通信網におけるショートメッセージの伝送に対する第２のブロック回路図
【図５】ショートメッセージの構造および/または内容に関する情報を伴った１つの通知の構造を示した図
【発明を実施するための形態】
【０００７】
本発明の方法によれば、加入者に対して遠隔通信網を通じて際立たせたいショートメッセージに依存して通知を送信することができる。この場合はこの通知と共に加入者には、ショートメッセージの構造ないし内容に関する情報を含んだデータが伝送される。このようにして加入者は、自身に対するショートメッセージがネットワークプロバイダのもとに届いていることだけを知らされるだけでなく、それどころか加入者は、このショートメッセージに関して、例えばその全てをダウンロードすべきなのかそれともメッセージの一部のみをダウンロードするだけでよいのかに関する判断を可能にするさらなる情報も得ることができる。それにより加入者は、容易にかつ快適にショートメッセージの内容にアクセスすることが可能となる。
【０００８】
従属請求項に記載された手段によれば、請求項１に記載された方法の別の有利な実施例及び改善例が可能である。
【０００９】
特に有利には、通知としてショートメッセージの構造および/または内容に関する情報を伴ったデータが含まれている、ショートメッセージのテキストベースの第１の部分が加入者に対して伝送される。このようにして通知が、テキストベースのショートメッセージの受信用に構成されている可及的に多くの遠隔通信網の加入者から読出し可能となることが保障される。このことは特にＧＳＭ移動無線網の加入者としてＧＳＭ（Global System for Mobile Communications）規格に従って構成された移動無線機器に対して当て嵌まる。これらの機器は、ＳＭＳ（Short Message Service）によるテキストベースのショートメッセージの受信と表示のために構成されている。加入者のもとではテキストベースの通知に基づいて、ネットワークプロバイダのもとにあるショートメッセージが完全に読出し可能であるのか、あるいはそのようなショートメッセージのどの部分が保見出し可能であるのかが確定される。その後では加入者のもとではネットワークプロバイダのもとにあるショートメッセージの読出し可能な部分のみがダウンロードのために選択可能となる。それにより伝送容量の節約が可能となる。
【００１０】
さらなる利点は、ショートメッセージの構造および/または内容に関する情報と共にショートメッセージ内に記憶されているデータの発信側に関する情報も加入者に伝送されることである。それにより加入者は、ネットワークプロバイダのもとにあるショートメッセージのダウンロードの決定に対するさらなる基準を得ることができる。
【００１１】
特に有利には、加入者から、遠隔通信網に転送される選択メッセージを用いて遠隔通信網からのショートメッセージの少なくとも１つの部分が要求され、ショートメッセージの要求された少なくとも１つの部分が加入者に伝送される。それにより、ショートメッセージの全てがネットワークプロバイダからダウンロードされる必要はなく、加入者によって要求された部分だけでよくなる。このことは選択メッセージを用いて特に簡単に可能であり、伝送容量の節約につながる。
【００１２】
さらなる別の利点は、加入者によって消去メッセージが遠隔通信網に転送され、この消去メッセージに依存してショートメッセージの少なくとも一部が消去されることである。このようにして加入者はショートメッセージの部分の選択的消去が可能となり、それによって加入者にとって読み出せないかまたは不要なショートメッセージ部分は消去できる。従って不必要なメモリースペースがネットワークプロバイダのもとで使用されることがなくなる。
【００１３】
さらに別の利点は、ショートメッセージの構造および/または内容に関する情報が加入者のもとで受信した通知から読出され、表示装置に表示されることである。これにより、ユーザーないし加入者自体はショートメッセージの構造および/または内容を評価でき、さらにショートメッセージの１つまたは複数の部分を特に快適に転送処理のために選択できる。
【００１４】
有利には、ショートメッセージの構造および/または内容に関する情報が加入者の加入者局内で直接処理される。それにより、加入者局のモジュールのみの処理に対して、但しネットワークプロバイダの１つのモジュールのみでなく、例えば識別モジュール、ＳＩＭ（Subscriber Identitiy module）カードなどが利用される場合に、ネットワークプロバイダに依存した処理が可能となる。
【００１５】
さらに有利には、加入者局に依存しない、ショートメッセージの構造および/または内容に関する情報の処理が識別モジュール、例えばネットワークプロバイダによって可用な識別モジュールを用いて行われる。それにより通知は加入者局のタイプに依存することなく評価可能となり、これによって高い融通性が無線機能と処理モジュールに関する多様性と同時に達成され得る。
【００１６】
別の有利な利点は、通知と共に第１のヘッド情報と１つのメッセージが加入者に伝送されることである。この場合第１のヘッド情報は、メッセージの内容に関する少なくとも１つの情報であり、このメッセージはショートメッセージの構造および/または内容に関する情報を含んでいる。このようにして、メッセージの後続処理の形式が加入者局においてないしは識別モジュールによって制御される。それにより、ショートメッセージの構造および/または内容に関する情報は、そのようなものとして識別され、相応の手法で処理され得る。
【００１７】
さらなる利点は、メッセージと共に第２のヘッド情報と有効データが加入者に伝送されることである。この場合第１のヘッド情報は、第２のヘッド情報の有無に関する情報であり、さらに第２のヘッド情報は、実行すべき通知の評価の形式に関する情報を含んでいる。このようにして、メッセージの継続処理の細分化された制御が可能となる。
【００１８】
有利には、ショートメッセージとして電子郵便サービス、特にインターネットＥメールメッセージが遠隔通信網に転送される。これにより、電子郵便サービスのメッセージに対するアクセスが特に容易にかつ快適に遠隔通信網において実現される。
【００１９】
さらなる利点は、通知がＧＳＭ規格（Global System for Mobile Communications）によるＳＭＳ（Short Message Service）として加入者に伝送されることである。このようにして、ＳＭＳサービスを支援する全てのＧＳＭ端末に対して次のようなことが可能となる。すなわちこの通知を介して既存のショートメッセージの構造および/またはように関する少なくとも知識が得られる。これらの全ての端末は、そのようなＳＭＳメッセージを受信し再生する機能を備えている。それによりＳＭＳ方式の種々の機能性を備えた加入者局のもとでの通知の受信に対して高い融通性が達成される。
【００２０】
また有利には、送信側に対して肯定応答メッセージがショートメッセージの形態で遠隔通信網に転送される。この場合１つの通知が送信側にこの肯定応答メッセージに依存して送信され、この通知と共に肯定応答メッセージの構造および/または内容に関する情報を含んだデータが送信側に伝送される。それにより請求項１によるこれらのショートメッセージと所属の通知は、多様な形式で用いられ、これによって遠隔通信網で統一的なメッセージ送信が保障される。
【００２１】
有利には、肯定応答メッセージがＧＳＭ規格（Global System for Mobile Communications）によるＳＭＳメッセージとして、及び通知が第１のヘッド情報および/または第２のヘッド情報として送信側に対して遠隔通信網に転送される。それによって全てのＳＭＳ方式の送信局のもとで肯定応答メッセージの読出し可能性が保障される。
【００２２】
また有利には、加入者によって、遠隔通信網に転送された命令メッセージを用いてショートメッセージの少なくとも１つのデータ領域が命令メッセージの内容に依存して処理される。このようにして、ショートメッセージに関する通知がショートメッセージに関する１つの情報のみでなく、加入者によるそれらの遠隔制御された処理も可能にする。
【００２３】
特に有利には、命令メッセージが加入者のもとでショートメッセージの構造および/または内容に関する情報に依存して自動的に作成される。これにより、ユーザーないし加入者にとっての快適性が著しく増す。
【００２４】
また有利には、命令メッセージが加入者に割当てられた加入者局の出力規模に依存しておよび/または加入者によって設定される命令基準に依存して作成される。これにより、ショートメッセージの遠隔制御された処理が自動的に加入者局の手段にまたはユーザーないし加入者の要求に適応化される。このことは例えばショートメッセージの１つまたは複数の部分の加入者局へのロードの際に、または加入者局から読み出せない部分もしくはショートメッセージの不所望な部分の消去ないし転送の際に意味をなす。
【００２５】
さらに有利には、命令メッセージが中央局、特にサービスプロバイダの中央局に対してショートメッセージの形態で遠隔通信網に転送され、この場合は通知が中央局にこの命令メッセージに依存して送信され、この通知と共に命令メッセージの構造および/または内容に関する情報を含んだデータが中央局に伝送される。このようにして、遠隔通信網における命令の発信に対しても請求項１によるショートメッセージとそれに付属する通知の形態が利用できる。それにより遠隔通信網において種々異なる形式の情報、命令、肯定応答、純粋な郵便サービス、などに対する統一性が、最初に発信された通知の基準に関連して、請求項１による遠隔通信網における相応のショートメッセージを介して達成され、さらにショートメッセージの評価に対する統一的な原理が最初に発信された通知に基づいて得られる。
【００２６】
また有利には、命令メッセージと通知が加入者の加入者局において直接作成される。これにより、ネットワークプロバイダに依存しない命令メッセージの作成が、加入者局のモジュールを用いるだけで、ネットワークプロバイダのモジュール、例えば識別モジュールなしで実現される。
【００２７】
それに対して加入者局のモジュールに依存しない命令メッセージと通知の作成は、例えばユーザープロバイダによって可用な識別モジュールを用いて可能となる。それにより命令メッセージは、加入者局のタイプに依存しないで作成可能となる。これにより、機能性と処理モジュールに関する加入者局の多様性と同時に高い融通性も達成され得る。
【００２８】
また有利には、命令メッセージがＧＳＭ規格によるＳＭＳメッセージとして、及び第１のヘッド情報および/または第２のヘッド譲歩として中央局に対し、遠隔通信網に転送される。それにより、ＳＭＳ方式の中央局のもとで命令メッセージの読出し可能性が保障される。
【００２９】
さらなる利点は、ショートメッセージの構造および/または内容に関する情報は、ショートメッセージの少なくとも２つの部分の構造および/または内容に関する情報から生成される。この場合これらの情報はこれらの部分から得られる。このようにして、ショートメッセージの第１の部分は、全てのショートメッセージの構造および/または内容に関する情報を付されなければならないのではなく、それは相応のショートメッセージ自体の伝送に対してより良好に利用できる。
【実施例】
【００３０】
図１には遠隔通信網１０における第１の加入者が符号６０で示されており、第２の加入者は符号６５で示されている。この遠隔通信網１０は、特に無線通信網として例えば移動無線網で構成されている。第１の加入者６０と第２の加入者６５は、それぞれ遠隔通信機器または加入者局、特に無線ユニットとして例えば移動無線機、通常無線機、ハンディ無線機などで構成され得る。図１にはその他に、遠隔通信網１０のネットワークプロバイダ７０が示されており、これも遠隔通信機器として特に無線ユニットで構成され、中央局とも称される。この中央局は、この場合ネットワークプロバイダとは異なる外部のサービスプロバイダに対応付けられていてもよい。しかしながら以下の明細書では中央局をネットワークプロバイダ７０に対応させた例で説明する。
【００３１】
図１による第１の実施例では、第２の加入者６５のもとで第１の加入者６０に対するショートメッセージ５が作成され、これが相応のアドレッシングによって遠隔通信網１０を介してネットワークプロバイダ７０に送信される。
【００３２】
図４による第２の実施例でも、同じ要素には同じ符号が付されている。第１の実施例との違いは、第２の加入者６５が遠隔通信網１０を介してではなく、データネットワーク、例えばインターネットとして構成され得るデータネットワークを介して、ネットワーク接続ユニット８５がネットワークプロバイダ７０に接続されている点である。この第２の加入者６５のもとで作成されたショートメッセージは、この場合例えば電子郵便、例えばＥメールとしてデータネットワーク８０とネットワーク接続ユニット８５を介して相応のアドレッシングによりネットワークプロバイダ７０に発信される。
【００３３】
これらの２つの実施例の場合では、ネットワークプロバイダ７０がショートメッセージ５を記憶し、第１の加入者６０にメッセージが送信されている。それに従って自身にアドレッシングされたショートメッセージの有無に関する情報が与えられる。このメッセージは、例えばネットワークプロバイダ７０が第１の加入者の活動化を確定した場合に第１の加入者６０に送信される。第１の加入者６０は、前記メッセージの受信後にネットワークプロバイダ７０にショートメッセージ５の伝送を要求し、それによってネットワークプロバイダ７０はまず第１の加入者６０に対して、ショートメッセージの構造および/または内容に関する情報を提供する通知を送信する。このしくみはポーリングサービスとも称される。引続き第１の加入者６０は、ショートメッセージ５を部分的にもしくは完全にネットワークプロバイダ７０からダウンロードする。それにより、このショートメッセージ５は部分的にもしくは完全にネットワークプロバイダ７０から第１の加入者６０に伝送される。
【００３４】
しかしながら、先行するメッセージの発信なしで通知を折返し第１の加入者６０に送信するか、ないしは第１の加入者６０の活動化と同時に確定してもよい。このしくみはプッシュサービスとも称される。
【００３５】
ネットワークプロバイダ７０のもとでは、第１の加入者６０に対して、プッシュ機構またはポーリング機構のどちらが適用されるべきかが確定される。
【００３６】
図２には、そのようなショートメッセージ５の構造が示されている。この場合ショートメッセージ５は、伝送フレーム１において第２の加入者６５からネットワークプロバイダ７０に伝送される。伝送フレーム１は、第１のデータ領域１５と、第２のデータ領域２０と、場合によっては第３のデータ領域２５と第４のデータ領域３０を含んでいる。第１のデータ領域１５は、第１の識別子３５を含み、これはショートメッセージ５の構造を特徴付ける。さらに第１のデータ領域１５には、ショートメッセージ５の内容を特徴付ける第２の識別子４０が設けられていてもよい。第１の識別子３５と第２の識別子４０は、ショートメッセージ５の構造および/または内容を特徴付ける唯一の識別子に統合されていてもよい。第１のデータ領域１５にはその他に第１のデータフォーマットのデータがファイルされている。第２のデータ領域２０には、第１のデータフォーマットとは異なる第２のデータフォーマットのデータがファイルされている。場合によっては既存のさらなるデータ領域２５，３０において、第１のデータ領域１５または第２のデータ領域２０のデータフォーマットと異なるデータフォーマットのデータがファイルされていてもよいが、但し必ずしも必要というわけではない。２つのデータ領域よりも多くのものが伝送フレーム１内に設けられているならば、それらのデータ領域の中の少なくとも２つには異なるフォーマットのデータがファイルされている。この場合、伝送フレーム１内のこれらのデータ領域のポジションは重要ではない。
【００３７】
図２中の破線によって示されているのは、第１のデータ領域１５が付加的に第１のデータ領域固有の識別子４５を含み得ることである。これは第１のデータ領域１５の構造および/または内容を特徴付けている。相応に第２のデータ領域２０は、第２のデータ領域固有の識別子５０を含み得る。これは第２のデータ領域２０の構造および/または内容を特徴付けている。相応に第３のデータ領域２５は、第３のデータ領域固有の識別子５５を含み得る。これは第３のデータ領域２５の構造および/または内容を特徴付け、第４のデータ領域３０は、第４のデータ領域固有の識別子７５を含み得る。これは第４のデータ領域３０の構造および/または内容を特徴付ける。
【００３８】
第１の識別子３５は、ショートメッセージ５内のデータ領域１５，２０，２５，３０の数に関する情報を含み得る。付加的にまたは代替的にこの第１の識別子３５は、データ領域１５，２０，２５，３０内にファイルされているデータのデータフォーマットに関する情報を含み得る。付加的にまたは代替的にこの第１の識別子３５の中にはデータ領域１５，２０，２５，３０のサイズに関する情報が含まれていてもよい。第２の識別子４０は、データ領域１５，２０，２５，３０の内にファイルされているデータのデータ種別に関する情報を含み得る。それにより、第２の識別子４０は例えばデータ領域内にオーディオデータまたは画像データがファイルされているか否かに関する情報を含むこともできる。
【００３９】
ここにおいてはまた、ネットワークプロバイダ７０が第１の加入者６０の要求に対して、第１のデータ領域１５を第１の識別子３５と第２の識別子４０と共に通知情報として第１の加入者６０に伝送するようにしてもよい。それにより、第１の加入者６０は、第１の識別子３５と第２の識別子４０の中で伝送される、ショートメッセージ５の構造および/または内容に関する情報に基づいて、ショートメッセージ５のどのデータ領域がその機能性に基づいてネットワークプロバイダ７０からダウンロードおよび/または再生可能であるかを検査できる。その他に第１の加入者６０のもとでは次のことに関する決定が判断できる。すなわちショートメッセージ５の読出し可能なデータ領域の全てが第１の加入者６０のもとに必要なわけではなくかつ伝送容量も節約すべきであるような場合に、ショートメッセージ５の読出し可能なデータ領域のどれがネットワークプロバイダ７０からダウンロードされるべきであるのかを判断することができる。第１の加入者６０の要求の後で全ての第１のデータ領域１５が第１の識別子３５および第２の識別子４０と共に第１の加入者６０に伝送されるべき場合に、第１のデータ領域１５内にファイルされているデータが遠隔通信網１０の全ての加入者から読出し可能なデータフォーマットにおかれていることができるだけ保障されるべきである。このことは特に、第１のデータ領域１５内にファイルされているデータが、第１の識別子３５および第２の識別子４０の中のデータと共にテキストフォーマットにおかれている場合に与えられる。この場合は、例えばＧＳＭ（Global System for Mobile Communications）規格に従ったＳＭＳ（Short-Message-Service）フォーマットが推薦される。なぜならＧＳＭシステムの要求に沿って構成された遠隔通信網において当該遠隔通信網のＧＳＭ規格に従って構成された加入者ないし移動無線機器によって読出し可能だからである。この場合は第１のデータ領域１５が、ＧＳＭ規格によるＳＭＳショートメッセージサービスに対してこれまでに既に述べてきたデータ領域に相応し、そのサイズは、１６０の７ビットのアスキー（American Standard Code for Information Interchange）テキスト文字に制限される。比較的長い通知の伝送は、ＳＭＳショートメッセージの連鎖化によって可能である。他のデータ領域２０，２５，３０は、そのサイズ内に限定される必要はない。
【００４０】
データ領域固有の識別子４５，５０，５５，７５もそれぞれの所属のデータ領域１５，２０，２５，３０内のデータフォーマットに関する情報および/またはそれぞれの所属のデータ領域１５，２０，２５，３０のサイズに関する情報、および/またはそれぞれのデータ領域１５，２０，２５，３０のデータ種別に関する情報を含んでいてもよい。第１のデータ領域１５内にＧＳＭーＳＭＳテキストフォーマットによるデータが存在しかつこのデータ領域が例えば１６０の７ビットのアスキーテキスト文字までに制限されていることが取り決められている場合には、この第１のデータ領域固有の識別子４５は、省くことも可能である。またデータ領域１５，２０，２５，３０の各々に唯一のデータフォーマットのデータのみがファイルされていてもよい。しかしながらこれらのデータフォーマットの少なくとも１つ、特に第２のデータ領域２０および/または場合によっては１つまたは複数のさらなるデータ領域２５，３０に、複数のデータフォーマットのデータがファイルされていてもよい。もちろんショートメッセージ５が図２に示されているような４つのデータ領域よりも多くのデータ領域を含んでいてもよい。
【００４１】
またショートメッセージ５の構造および/または内容に関するネットワークプロバイダ７０の通知を、ネットワークプロバイダ７０からの要求の後で、データ領域固有の識別子４５，５０，５５，７５の評価によって作成し、引続きそれを第１の加入者６０に送信するようにしてもよい。それによりこのケースでは、第１の識別子３５と第２の識別子４０が不要となり、さらに第１のデータ領域１５も第１の加入者６０に送信される必要はない。そのような手法は、特に第２の実施例のもとで提供される。この場合は、ネットワークプロバイダ７０が遠隔通信網１０とは異なるデータネットワーク８０から到来するショートメッセージ５を受信する。このネットワークは一般的に遠隔通信網１０の標準には相応してなく、故にこの遠隔通信網１０の全ての加入者６０が読出すことはできない。このケースではネットワークプロバイダ７０が、届いたショートメッセージ５の構造および/または内容に関する通知を遠隔通信網１０の全ての加入者によって読出し可能なように形成する。データネットワーク８０によって受信されたショートメッセージ５はこの場合、データネットワーク８０に基づく標準規格に応じて前述した伝送フレーム１とは異なる構造におかれてもよい。しかしながらこれは、ネットワークプロバイダ７０によって場合によっては既述した伝送フレーム１への変換の後でネットワーク接続ユニット８５によって識別され評価されなければならない。それによって第１の加入者６０への相応の通知が作成され得る。このようにして生成されたショートメッセージ５の構造および/または内容に関する通知は、遠隔通信網１０の全ての加入者から読出し可能なデータフォーマットで第１の加入者６０に送信される。それに対してはここでも例えば１６０の７ビットのアスキーテキスト文字を伴うデータ領域の適用下で特にＧＳＭーＳＭＳテキストフォーマットが用いられてもよい。
【００４２】
図３に基づいて、ここではショートメッセージ５の伝送フレーム１の具体例を説明する。この場合このショートメッセージ５は、マルチメディアショートメッセージ５として構成されている。図３においても図２と同じ構成要素には同じ符号が付されている。この場合図３によれば伝送フレーム１内には、第１のデータ領域１５と、第２のデータ領域２０と、第３のデータ領域２５が設けられている。これらの個々のデータ領域１５，２０，２５内ではデータ領域固有の識別子は設けられていない。第１のデータ領域１５は、おの場合アスキーテキストフォーマットのテキストデータを含んでおり、第２のデータ領域２０は、オーディオデータ、例えばｗａｖｅ形式のオーディオデータを含んでおり、第３のデータ領域２５は、画像データ、例えばＧＩＦ（Graphic Interchange Format）形式の画像データを含んでいる。テキストデータを伴う第１のデータ領域１５は、ＧＳＭーＳＭＳショートメッセージサービスに相応してテキストフォーマットされている。図３において第１の識別子３５と第２の識別子４０の間の破線によって表わされていることは、この第１の識別子３５と第２の識別子４０が共通の識別子に統合され得ることである。そのような共通の識別子３５，４０は、データ領域１５，２０，２５，３０の数と、第２のデータ領域２０と第３のデータ領域２５の内容並びにサイズを示す。それによりこの共通の識別子３５，４０は、例えば以下のように、
"Multipart/2/Audio/7654/Image12345"
あらわされてよい。
【００４３】
この共通の識別子３５，４０は、キーワード"Multimedia"による複数のデータ領域からなるショートメッセージ５であることを表わしている。前記数字の２は、１６０の長さで７ビットのアスキーテキスト文字のテキストデータを伴う常時存在する第１のデータ領域１５の他に、２つのさらなるデータ領域２０、２５がショートメッセージ５の伝送フレーム１内に存在していることを表わしている。共通の識別子３５，４０内の第１のデータ種別としてこの場合は"Audio"が挙げられており、そのためこの共通の識別子３５，４０からわかることは、第２のデータ領域２０内にファイルされているデータがオーディオデータであることである。さらにこの共通の識別子３５，４０内の第２のデータ種別として"Image"が挙げられており、それによってこの共通の識別子３５，４０からは、第３のデータ領域２５内にファイルされているデータが画像データであることがわかる。これらのデータ種別に続いてこの共通の識別子３５，４０には、それぞれ所属のデータ領域２０，２５内のサイズが示されており、そのためこの共通の識別子３５，４０からは、第２のデータ領域２０内で伝送されるオーディオファイルの長さが７６５４バイトのオーディオデータを伴い、第３のデータ領域２５で伝送される画像ファイルが１２３４５バイトの画像データを伴っていることがわかる。第１のデータ領域１５に対しては、この共通の識別子３５，４０においては情報が必要ない。なぜならここでの既述した例においては、ＧＳＭーＳＭＳテキストフォーマットに対して互換性のあるテキストデータであり、その数は１６０の７ビットのアスキーテキスト文字に制限されているからである。また付加的に共通の識別子３５，４０は、第２のデータ領域２０と第３のデータ領域２５のデータに対するデータフォーマットを示すようにしてもよい。第２のデータ領域２０のオーディオデータに対しては、共通の識別子３５，４０においてWave形式のデータフォーマットが用いられてもよい。第３のデータ領域２５の画像データに対しては、共通の識別子３５，４０においてＧＩＦ形式のデータフォーマットが用いられてもよい。しかしながら前述した共通の識別子３５，４０の情報"Audio"と"Image"は、同時に相応のデータ領域２０，２５内にファイルされているデータの内容やフォーマットを表わすものであってもよい。その場合は例えば、オーディオデータが常に所定のフォーマット、例えばWave形式などにおかれ、画像データも同じく所定のフォーマット、例えばＧＩＦ形式などにおかれることが前提とされる。この場合では、第１の加入者６０に伝送される共通の識別子３５，４０に基づいて、完全に有利であるかもしくは望まれているのがネットワークプロバイダ７０からの第２のデータ領域２０のダウンロードなのかおよび/または第３のデータ領域３５のダウンロードなのかが判断できる。第１の加入者６０がオーディオ機能を備えていない場合、つまりオーディオデータに対する処理又は再生手段を有していない場合には、ネットワークプロバイダ７０の第２のデータ領域２０からのオーディオデータのダウンロードは意味がない。第１の加入者６０が画像機能を備えていない場合、つまり第１の加入者６０のもとで画像データの処理または再生が不可��な場合には、ネットワークプロバイダ７０の第３のデータ領域２５からの画像データのダウンロードも意味がない。
【００４４】
ネットワークプロバイダ７０からダウンロードされたショートメッセージ５の伝送フレーム１のデータ領域の選択に対しては、共通の識別子３５，４０が第１の加入者６０の表示装置に表示され得る。それにより、ショートメッセージ５の構造および/または内容に関する情報は、加入者６０のもとで受信した通知から読出され、表示装置に表示される。
【００４５】
その場合の表示は、簡単で場合によってはスクロールの可能なテキスト表示に相応し、これは受信したＳＭＳテキストメッセージの表示の際に通常のものである。しかしながらショートメッセージ５の構造および/または内容に関する情報をまず第１の加入者６０によって評価するようにしてもよい。加入者６０のもとでメニュー制御された操作手段のケースでは、この評価に基づいて新たなメニューポイントないしサブメニューポイントが形成され、既存のメニュー構造に組込まれるようにしてもよい。それによりショートメッセージ５の構造および/または内容に関する情報が表示装置に表示され得る。ショートメッセージ５の構造および/または内容に関する情報の評価は、付加的に又は代替的にこの情報の表示装置への表示がリスト構造の形態で行われるように実施されてもよい。この場合はショートメッセージ５のデータ領域の内容がファイルとしてリストにリストアップされる。そのようなリスト構造からは例えばカーソル制御を用いて快適にショートメッセージ５の個々のファイルにアクセスできる。
【００４６】
ショートメッセージ５の構造および/または内容に関する情報の評価は、評価ユニットにより相応のソフトウエアプログラムを用いて第１の加入者６０の加入者局内で直接行われ、それに伴ってネットワークプロバイダ７０に依存せずに行われる。それに対する必然的な前提は、所要のソフトウエアプログラムが加入者局内にファイルされていることと、評価ユニットがソフトウエアプログラムの処理に必要なハードウエアプラットフォームを有していることである。そうでない場合には、表示装置への通知の純粋なテキスト表示の面から見て、例えば相応の移動無線規格に従って加入者局内でのショートメッセージ５の構造および/または内容に関する情報の評価は不可能である。
【００４７】
前述した加入者局内での直接のショートメッセージ５の構造および/または内容に関する情報の評価に対しては付加的にまたは代替的に、ネットワークプロバイダに依存した評価が行われるようにしてもよい。それに対しては、ネットワークプロバイダから加入者局のユーザーに発行される識別モジュールの形態のアクセス許可カードが用いられてもよい。このカードは、例えばチップカード、特にＳＩＭカード（Subscriber Indetity Module）として構成されていてもよく、評価装置を含んでいる。この評価装置上ではショートメッセージ５の構造および/または内容に関する情報の評価のためのソフトウエアプログラムが実行可能であり、これらのプログラムもカード上に記憶されている。このアクセス許可カードは、この場合特にインターフェース、例えばＳＡＴ（SIM Application Toolkit）インターフェースを介して加入者局と接続される。このインターフェースは、ネットワークプロバイダ７０に、アクセス許可カードを介して相応のハードウエアプラットフォームと共にソフトウエアの実行により加入者局での活動のトリガや加入者局へのデータの再記憶を可能にする。それにより、ネットワークプロバイダとのユーザー契約に応じて、適切な評価装置と相応のソフトウエアプログラムがカード上で可用となる。これは、ショートメッセージ５の構造および/または内容に関する情報の評価に対する１つまたは複数のオプションを可能にする。その場合ソフトウエアプログラムは、ネットワークプロバイダ７０から遠隔通信網１０を介してカード上で実際化や拡張されてもよいし、あるいは少なくとも部分的に消去されたりロックされてもよい。アクセス許可カードを用いた評価が実施されるならば、これは加入者局自体の出力規模に依存せずに可能である。この場合はショートメッセージ５の構造および/または内容に関する情報表示が前述したように加入者局の表示装置で行われる。その際相応のデータが加入者局とアクセス許可カードの間で前述したインターフェースを介して伝送される。
【００４８】
また、ショートメッセージ５の構造および/または内容に関する情報が、さらなるカード上で加入者局にもネットワークプロバイダ７０にも依存せずに評価されるようにしてもよい。この場合そのようなカードは、適切なサービスプロバイダによって可用となる。符号７０は、このケースではサービスプロバイダを表わす。このさらなるカードは、アクセス許可カードのようにそのつど第１の加入者６０の加入者局のカードリーダー装置を備えた固有のカードスロットに差込まれる。しかしながら外部から加入者局に接続されるサービスプロバイダのカード用のカードリーダーが設けられてもよい。
【００４９】
ショートメッセージ５の構造および/または内容に関する情報の評価に対しては、これが加入者局の評価ユニットおよび/またはアクセス許可カードの評価装置に供給されなければならない。その後で評価ユニットないし評価装置は、通知と共に伝送されたデータがショートメッセージ５の構造および/または内容に関する情報として識別でき、それを例えば純粋なテキストメッセージと区別できる状態におかれなければならない。それに対して図５に第１のデータ領域１５として表わされている通知は、第１のヘッド情報９０を含み、これは当該通知のさらなる内容に関する情報を含んでいる。この場合第１のヘッド情報は、ショートメッセージ５の構造および/または内容に関する情報を含む。評価ユニットないし評価装置は、この通知をネットワークプロバイダ７０のもとにあるショートメッセージ５に関する通知として識別し、その後でこれらの情報の所定の評価に必要なソフトウエアプログラムを選択して実行する状態におかれる。しかしながらこの第１のヘッド情報９０は、評価ユニットないし評価装置がショートメッセージ５の構造および/または内容に関する情報の評価だけを行うのであるならば必要ない。
【００５０】
図５に示されているように、第２のヘッド情報９５を通知内に設けるようにすることも可能である。第１のヘッド情報９０は、例えば設定ビットの形態の第２のヘッド情報９５の有無に関する情報のみを含んでいる。第２のヘッド情報９５は、実施すべき通知の評価の種別に関する情報を含む。この場合の実行すべき評価は、通知をテキストフォームのみで表示装置に表示させることであってもよい。この通知がショートメッセージ５の構造および/または内容に関する情報であるならば、この第２のヘッド情報９５は、メニュー制御された表示、特にリスト構造を有する表示であってもよい。これらの情報は実施すべき評価のために設定される。それにより、第２のヘッド情報９５は特に評価ユニットないし評価装置で実施されるショートメッセージ５の構造および/または内容に関する情報の複数の評価手段の間で選択されるものであるならば、必要性が高い。
【００５１】
第１のヘッド情報９０と場合によって第２のヘッド情報９５には、図５に示されているように第１のデータ領域１５において第１の識別子３５と第２の識別子４０が続けられる。
【００５２】
加入者局の評価装置へのショートメッセージ５の構造および/または内容に関する情報の表示によって、ユーザーは例えばメニュー制御によってショートメッセージ５のさらなる処理またはショートメッセージ５の一部、例えばショートメッセージ５の１つまたは複数のデータ領域のさらなる処理を導入できる。このことは、加入者局の入力ユニットにおけるユーザー入力、例えばカーソル制御によるユーザー入力によって行うことができる。その場合ユーザーは、自身の必要性に応じて命令基準を入力ないし設定でき、それに従ってショートメッセージ５が処理される。ショートメッセージ５内にビデオデータが存在し、かつユーザーがビデオデータを見たくないかその加入者局でのビデオ表示ができない場合には、ユーザーは例えばショートメッセージ５のこのデータをネットワークプロバイダ７０のもとで消去するように設定することもできる。その場合ユーザー入力に基づいて命令メッセージが相応の処理コマンドと共に作成され、ネットワークプロバイダ７０に送信される。この場合この命令メッセージは、本発明によれば、ネットワークプロバイダ７０に対するショートメッセージ５の形態で遠隔通信網１０に転送される。この場合は通知が予め、もしくは命令メッセージと一緒にネットワークプロバイダ７０に送信される。この命令メッセージは、前述のように構成されてもよいし、命令メッセージの構造及び/又は内容に関する情報を含んでいてもよい。さらにそれに対しては既に前述したように、第１のヘッド情報９０と場合によっては第２のヘッド情報９５が設けられてもよい。これは第１のヘッド情報９０を用いた命令メッセージの存在の指示と、場合によってはネットワークプロバイダ７０のもとで第２のヘッド情報９５を用いた第１の加入者６０から望まれた命令メッセージの評価及び処理を指示するためである。これは多数の異なる評価および/または処理種別の間で選択がなされなければならない限り続けられる。命令メッセージの有無に関する情報を備えた第１のヘッド情報９０のみが存在している場合には、これがネットワークプロバイダ７０により、該ネットワークプロバイダ７０のもとで設定された方式で評価及び処理される。
【００５３】
命令メッセージはＧＳＭ規格によるＳＭＳメッセージの形態であってもよい。この場合通知は第１のヘッド情報９０と場合によっては第２のヘッド情報９５に限定されてもよい。通知内に第１のヘッド情報９０のみが存在する場合には、例えばネットワークプロバイダ７０のもとでネットワークプロバイダ７０の中央局の表示装置への命令メッセージの表示だけが命令メッセージの評価ないし処理として予め設定されてもよい。第１の加入者（６０）に対してネットワークプロバイダ７０のもとで存在するショートメッセージ５の処理は、オペレータにより命令メッセージの基準位置に基づいて処理される。
【００５４】
命令メッセージに対する通知内の第２のヘッド情報９５の存在のもとでは、第１の加入者６０によって所望され、第１の加入者６０に対するネットワークプロバイダ７０のもとに存在するショートメッセージ５の処理が既に予め設定されてもよい。それによりネットワークプロバイダ７０のもとで自動的に導入されるようになる。
【００５５】
しかしながらこの命令メッセージは第１の加入者６０のもとでマニュアル操作入力に対して付加的にまたは代替的に、ショートメッセージ５の構造および/または内容に関する評価される情報に基づいて自動的に作成される。その際には命令メッセージの自動の作成のもとでも、手動の作成のもとでも、第１の加入者６０ないし相応の加入局の電力規模で両立できるショートメッセージ５の処理のための命令のみが形成可能であるようにしてもよい。第１の加入者６０が例えばビデオ機能を備えていないならば、ショートメッセージ５の中に含まれているビデオデータのダウンロードを促す命令メッセージは何も形成しなくてよい。その上さらにショートメッセージ５の中の相応のビデオデータをネットワークプロバイダ７０のもとで消去させる命令が命令メッセージ内へ自動的に取入れられる。命令メッセージは、ユーザーおよび/またはネットワークプロバイダ７０によって自動的に設定される命令基準に従って作成される。それに対しては第１の加入者６０のもとで対応する加入者局の評価ユニット内で、および/またはアクセス許可カードの評価装置内で、いわゆるプロフィールがファイルされる。これは相応の命令基準を含んでいる。この場合この命令基準は、ショートメッセージ５の構造および/または内容に関する様々な情報に対して予め設定されてもよいし、ショートメッセージ５の構造および/または内容に関するこれらの情報に依存して相応の命令メッセージが形成されてもよい。それにより、例えばショートメッセージ５内に存在するビデオデータに関する情報のもとで、ショートメッセージ５内のこのビデオデータの消去のための命令メッセージを形成する命令基準が設けられる。その場合プロフィールは少なくとも部分的にネットワークプロバイダ７０自体のもとにファイルされてもよい。ネットワークプロバイダ７０が第１の加入者６０あてに存在するショートメッセージ５内でビデオデータを識別すると、ネットワークプロバイダはそれを相応に存在する命令基準のもとで、第１の加入者６０にこのビデオデータに関して情報提供することなく、自動的に消去できる。プッシュサービスもしくはポーリングサービスの適用を介した設定もプロフィールにおいてネットワークプロバイダ７０のもとでファイルされ得る。例えばネットワークプロバイダ７０のもとで第１の加入者６０に対して存在するショートメッセージ５内に複数のデータ種別が存在する場合には、プッシュサービスとポーリングサービスをそれぞれ異なるデータ種別毎に設けることも可能である。つまり例えばビデオデータに対してプッシュサービスを、そしてオーディオデータに対してはポーリングサービスを設けることも可能である。
【００５６】
ショートメッセージ５の構造および/または内容に関する情報の評価に応じて、命令メッセージの作成も、第１の加入者６０の評価ユニットを用いてネットワークプロバイダに依存することなく行ってもよいし、および/またはアクセス可能カード上の評価装置を用いてネットワークプロバイダに依存して行ってもよい。しかしながらまた命令メッセージのネットワークプロバイダ７０に依存しない作成や、第１の加入者６０の加入者局に依存しないで相応する評価装置を用いてサービスプロバイダのカード上で行うようにしてもよい。これはショートメッセージ５の構造および/または内容に関する情報の評価が既にこのように行われている場合にあてはまる。
【００５７】
ショートメッセージ５は、正確に２つのデータ領域１５，２０からなる伝送フレーム１を含み得る。この場合第１のデータ領域２５内には既に前述したように共通の識別子３５，４０を備えたテキストデータが存在し、第２のデータ領域２０には複数のデータ種別または媒体が統合されている。しかしながらショートメッセージ５の中でＮ個の伝送すべきデータ種別または媒体を、ショートメッセージ５の伝送フレーム１内でＮないしＮ＋１のデータ領域に分散されるようにしてもよい。第１の加入者６０は、ショートメッセージ５の全てのデータ領域を個別にまたは一緒にネットワークプロバイダ７０からダウンロードできる。
【００５８】
第１の加入者６０のもとでは、既に伝送された共通の識別子３５，４０の評価も行われ得る。それによりそれらの第１の加入者６０の表示装置への表示は、ショートメッセージ５のどのデータ領域が完全にネットワークプロバイダ７０から第１の加入者６０の機能性に基づいてダウンロードできるかを示唆する。
【００５９】
第２の加入者６５は前述したような伝送フレーム１内でショートメッセージ５を生成する。第２の加入者６５のもとでの伝送フレーム１の形成は、この場合単純に個々のデータ領域１５，２０，２５，３０の相互接合と、場合によってはデータ領域固有の識別子４５，５０，５５，７５のそれぞれ１つの挿入によって行われてもよい。ネットワークプロバイダ７０はまたショートメッセージ５を受信して、前述した伝送フレーム１内に記憶する。第１の加入者６０の相応の機能性のもとで、伝送フレーム１をネットワークプロバイダ７０から完全にダウンロードし、第１の加入者６０へ伝送するようにしてもよい。このケースでは第１の加入者６０がショートメッセージ５を前述したような伝送フレーム１で受信し場合のよってはそれを記憶し、および/またはそれを光学的および/または音響的に再生させる。第１の加入者６０は、伝送フレーム１の少なくとも１つの個々のデータ領域を受信し、それを場合によっては記憶し、および/または光学的および/または音響的に再生する。ネットワークプロバイダ７０と第１の加入者６０のもとで受信したデータ領域１５，２０，２５，３０の評価は、例えばデータ領域固有の識別子４５，５０，５５，７５が所属のデータ領域１５，２０，２５，３０と共に伝送されるか、または場合によって伝送される第１の識別子３５および/または第２の識別子４０に基づいて伝送される場合に、これらのデータ領域固有の識別子４５，５０，５５，７５に基づいて行われる。
【００６０】
本発明による伝送フレーム１は無線での遠隔通信網における適用範囲に限定されるものではなく、有線での遠隔通信網１０においても適用可能である。この場合では、加入者６０，６５とネットワークプロバイダ７０が有線で接続されている。また２つの加入者６０，６５のうちの一方は有線遠隔通信網１０を介してネットワークプロバイダ７０に接続され、２つの加入者６０，６５のうちの他方は、無線遠隔通信網１０を介してネットワークプロバイダ７０に接続されるようにしてもよい。それにより、伝送フレーム１は、有線遠隔通信網１０にも無線遠隔通信網１０にも適する。
【００６１】
遠隔通信網１０のネットワークプロバイダ７０のもとにショートメッセージ５が到来した後では、ネットワークプロバイダ７０では、第１の加入者６０からこの加入者６０の活動化を特徴付けるシグナリング情報が受信されているか否かが検査される。さらにネットワークプロバイダ７０は、第１の加入者６０にメッセージを送信し、該第１の加入者６０に転送されるべくネットワークプロバイダ７０のもとに記憶されているショートメッセージ５が存在することに関する情報がもたらされる。第１の加入者６０のもとでは、ネットワークプロバイダ７０のショートメッセージ５の構造および/または内容に関する情報を要求すべきか否かが決定される。要求すべき場合には、第１の加入者６０から相応のリクエスト信号が遠隔通信網１０を介してネットワークプロバイダ７０に伝送される。ネットワークプロバイダ７０は、ショートメッセージ５の構造および/または内容に関する情報を含んでいる通知を形成し、この通知を遠隔通信網１０を介して第１の加入者６０のもとに送信する。この場合この通知は、例えばテキストベースの第１の領域１５をショートメッセージ５の伝送フレーム１内に含んでいてもよい。このデータ領域１５は、図２及び図３に示しているような第１の識別子３５と第２の識別子４０を含んでいる。しかしながらショートメッセージ５のこの第１のデータ領域１５は、第１の識別子３５も第２の識別子４０も含まずに、第１のデータ領域固有の識別子４５だけを含んでいるようにしてもよい。それによりネットワークプロバイダ７０はショートメッセージ５の構造および/または内容に関する通知を、全てのデータ領域固有の識別子４５，５０，５５，７５のの評価によって作成可能であり、例えばテキストベースのデータ領域が、遠隔通信網１０のできるだけ多くの加入者によって読出し可能なように作成された通知を伝送すべく形成される。この場合このテキストベースのデータ領域は、１６０の７ビットのアスキーテキスト文字によるＧＳＭーＳＭＳテキストフォーマットによって実現されてもよい。ネットワークプロバイダ７０によって生成された通知は、それによってショートメッセージ５の構造に関する情報を含み、この場合例えばデータ領域１５，２０，２５，３０の数に関する情報、および/またはデータ領域１５，２０，２５，３０にファイルされているデータのデータフォーマットに関する情報、および/またはデータ領域１５，２０，２５，３０のサイズに関する情報などを含み得る。ネットワークプロバイダ７０によって形成された通知は、ショートメッセージ５の内容に関する情報も含み得る。これはショートメッセージ５の種々のデータ領域１５，２０，２５，３０における様々なデータ種別の存在に関する情報を含み得る。この通知が第１の識別子３５と第２の識別子４０を含んでいる場合には、第１の識別子３５を伴うショートメッセージ５の構造に関する情報と、第２の識別子４０を伴うショートメッセージ５の内容に関する情報が相応の通知の中でネットワークプロバイダ７０から第１の加入者６０に伝送される。ネットワークプロバイダ７０から第１の加入者６０に伝送される通知は、ショートメッセージ５内に記憶されているデータの発信者としての第２の加入者６���に関する付加的な情報も含み得る。このようにして第１の加入者６０は、ショートメッセージ５の発信者に関する情報を受取る。ネットワークプロバイダ７０から遠隔通信網１０を介して第１の加入者６０に伝送される通知は、第１の加入者６０のもとで次のような判断を可能にする。すなわちショートメッセージ５のどのデータ領域１５，２０，２５，３０が第１の加入者６０によって完全に読出し可能であるのかと、その読出し可能なデータ領域のうちのどれをネットワークプロバイダ７０からダウンロードすべきかを判断できる。それに対して第１の加入者６０は、選択メッセージとして形成された相応の命令メッセージを遠隔通信網１０を介してネットワークプロバイダ７０に送信する。この場合は遠隔通信網１０のネットワークプロバイダ７０のショートメッセージ５におけるデータ領域１５，２０，２５，３０のうちの少なくとも１つが要求される。第１の加入者６０から要求されたショートメッセージ５のデータ領域は、その後でネットワークプロバイダ７０から遠隔通信網１０を介して第１の加入者６０に伝送され、そこで場合によっては前処理の後で図１には示していない再生装置での再生のためにもたらされる。２つまたはそれ以上のデータ領域が選択メッセージを用いて第１の加入者６０から要求された場合には、これらの領域は、一緒にもしくは時間的に分離されてネットワークプロバイダ７０から第１の加入者６０に伝送される。
【００６２】
また、第１の加入者６０のもとでショートメッセージ５の構造および/または内容に関する通知の受信と再生の後で１つまたは複数のデータ領域が選択され、例えばそれが第１の加入者６０によって読出し不能か再生不能であるためにこれがネットワークプロバイダ７０のもとで消去されるか遠隔通信網１０あるいはデータネットワーク８０のさらなる加入者に転送されるようにしてもよい。それに対して第１の加入者６０は、消去を望んでいる場合に、消去メッセージとして構成された命令メッセージが遠隔通信網１０を介してネットワークプロバイダ７０に送信され、この場合この消去メッセージにおいてショートメッセージ５の消去されるべきデータ領域が示される。ネットワークプロバイダ７０は、その後で消去メッセージの中の情報に従ってショートメッセージ５の相応するデータ領域を図１には示されていないメモリから消去する。転送の要求がある場合には、第１の加入者６０は、転送メッセージとして構成された命令メッセージを、遠隔通信網１０を介してネットワークプロバイダ７０に送信する。この場合この転送メッセージの中には転送されるべきショートメッセージ５のデータ領域が示される。その他に転送メッセージの中で相応のアドレッシングによってどの加入者にデータ領域が転送されるべきかが提示されている。その後でネットワークプロバイダ７０は転送メッセージの中の情報に従ってショートメッセージ５の相応のデータ領域を該当するもしくはアドレス指定された加入者に転送する。この場合ショートメッセージ５の種々異なるデータ領域が様々なもしくは同じ加入者に転送され得る。
【００６３】
もちろん第１の加入者６０のもとでは、選択メッセージを用いてショートメッセージ５の全てのデータ領域１５，２０，２５，３０がネットワークプロバイダ７０のもとでダウンロードのために要求することができる。消去メッセージを用いて全てのデータ領域１５，２０，２５，３０、つまり全てのショートメッセージ５がネットワークプロバイダ７０のもとで消去のために解放される。
【００６４】
データ領域の要求は、ここにおいて例示的に図３に示されている伝送フレーム１に基づいて具体的に説明する。自身に転送されたショートメッセージ５の存在に関するメッセージに対して第１の加入者６０は要求信号として命令"get MMK(=Multimedia-Kurznachricht) Content"をネットワークプロバイダ７０に送信する。さらに第１の加入者６０は、ネットワークプロバイダ７０から、１つの通知を受信する。これは図３によるマルチメディア・ショートメッセージ５の構造と内容を表わしている。この通知は、例えば前述したような通知"Multipart/2/Audio/7654/Image/12345"であってもよい。この通知からは第１の加入者６０のもとで、このマルチメディア・ショートメッセージ５がいくつのデータ領域１５，２０，２５，３０からなっているのかが識別される。ここに記載の例では、このマルチメディア・ショートメッセージ５が３つのデータ領域１５，２０，２５からなっているのが示されている。さらに第１の加入者６０のもとでは、第１のデータ領域１５内にファイルされているデータがアスキーテキストデータであり、第２のデータ領域２０内にファイルされているデータがオーディオデータであり、第３のデータ領域２５内にファイルされているデータは画像データであることが識別される。さらにまたネットワークプロバイダ７０の通知は、付加的に次のような情報を含んでいてもよい。すなわちオーディオデータは例えばWave形式のデータで、画像データは例えばGIF形式のデータで、ショートメッセージ５の相応するデータ領域２０，２５に存在しているというような情報である。たとえば選択メッセージ"Get MMK(x)"は、ここではｘ番目のデータ領域１５，２０，２５がネットワークプロバイダ７０に要求されていることを表わす。この場合ｘ=1,2または３である。それにより例えば選択メッセージ"get MMK(2)"が送信された後では、第２のデータ領域２０のオーディオデータが、ネットワークプロバイダ７０から第１の加入者６０に送信される。複数のデータ領域は、ネットワークプロバイダ７０の選択メッセージ"get MMK(x,y,………)"によって要求される。
【００６５】
さらにネットワークプロバイダ７０は、前述したように構成されたショートメッセージ５を第２の加入者６５から受信した後でショートメッセージ５の受信の肯定応答のための肯定応答メッセージを形成し、図１の第１実施例のように第２の加入者６５あてに遠隔通信網１０に転送するようにしてもよい。この場合この肯定応答メッセージは、前述したような構造のショートメッセージの形態を有していてもよい。その場合は通知が肯定応答メッセージに依存して送信側に送信され、この通知と共に肯定応答メッセージの構造および/または内容に関する情報を含んだデータが送信側に伝送される。前述した命令メッセージのように、この場合は肯定応答メッセージがＧＳＭ規格によるＳＭＳメッセージとして、さらに通知が第１のヘッド情報９０及び場合によっては第２のヘッド情報９５として第２の加入者６５あてに遠隔通信網１０に転送されるようにしてもよい。
【００６６】
ここにおいて通知の中に第１のヘッド情報９０のみが設けられている場合には、例えば第２の加入者６５のもとでこの肯定応答メッセージの表示だけが当該第２の加入者６５の加入者局の表示装置に肯定応答メッセージの評価ないし処理として設定されてもよい。
【００６７】
通知内に第２のヘッド情報９５が存在する場合は、肯定応答メッセージに対してネットワークプロバイダ７０によって望まれた肯定応答メッセージの処理が既に設定されてもよい。それにより第２の加入者６５のもとで自動的に開始される。
【００６８】
類似のやり方でネットワークプロバイダ７０からの肯定応答メッセージも、第１の加入者６０あてに遠隔通信網１０に送出され得る。それにより、ネットワークプロバイダ７０は命令メッセージの受信を肯定応答できる。
【００６９】
同様に相応したやり方で第１の加入者６０からネットワークプロバイダ７０あてに肯定応答メッセージを遠隔通信網１０に転送させてもよい。それにより第１の加入者６０は通知の受信を肯定応答できる。
【００７０】
また、ショートメッセージ５の構造および/または内容に関する情報の評価、および/または命令メッセージの作成が、第１の加入者６０の加入者局から転送を受ける外部ユニット、例えばパーソナルコンピュータにおいて少なくとも部分的に実施されてもよいし、ショートメッセージ５の構造および/または内容に関する情報表示のための表示装置が外部ユニットのもとに例えばモニタの形態で設けられていてもよい。
【符号の説明】
【００７１】
５        ショートメッセージ
１０      遠隔通信網
６０      第１の加入者
６５      第２の加入者
７０      ネットワークプロバイダ
９０      第１のヘッド情報
９５      第２のヘッド情報
【図１】
2010044774.tif 000003
【図２】
2010044774.tif 000004
【図３】
2010044774.tif 000005
【図４】
2010044774.tif 000006
【図５】
2010044774.tif 000007